(57)【要約】【課題】ホルムアルデヒドや、ＶＯＣを含む汚染空気を床下空間に排気し、蓋を開けたときに、それらが居室内に拡散することのない床下収納庫を提供する。【解決手段】蓋１２と、箱体１１とからなるとともに、該箱体１１の側板部に排気弁２を備え、床下に設置される収納庫において、上記排気弁２は、蓋１２を閉めたときに上昇する内部圧力で排気を行い、閉蓋後は外気を遮断することを特徴とする。好ましくは、上記排気弁２の弁本体２１をロッド２２を挿通する有底ダイアフラム構造とするとともに、このロッド２２には上記弁本体２１を付勢するための付勢手段が嵌装される。【選択図】図１
2004244854.tif 000002
【特許請求の範囲】
【請求項１】
蓋と、箱体とからなるとともに、該箱体の側板部に排気弁を備え、床下に設置される収納庫において、上記排気弁は、蓋を閉めたときに上昇する内部圧力で排気を行い、閉蓋後は外気を遮断することを特徴とする床下収納庫。
【請求項２】
上記排気弁の弁本体をロッドを挿通する有底ダイアフラム構造とするとともに、このロッドには上記弁本体を付勢するための付勢手段が嵌装された請求項１に記載の床下収納庫。
【請求項３】
上記排気弁が対向する側板部に各１個以上設けられた請求項１記載の床下収納庫。
【請求項４】
上記側板部内面にホルムアルデヒド捕捉剤が塗布された請求項１記載の床下収納庫。
【請求項５】
上記排気弁を覆うように上記側板部外側に防虫ネットが設けられた請求項１記載の床下収納庫。
【発明の詳細な説明】
【０００１】
【発明の属する技術分野】
本発明は、蓋と、箱体とからなる床下収納庫に関する。さらに詳しくは、ホルムアルデヒドやＶＯＣを含む該収納庫内の空気を床下側に排気する機能を備えた床下収納庫に関する。
【０００２】
【従来の技術】
近年、新建材やクロス、合板等の内装材から放散される微量の化学物質を含んだ空気に接触し、目、鼻、のど等に不調が現れるシックハウス症候群が社会的に問題となりつつある。これらの症状は、重症となると目、鼻、のど等の不調のみならず、頭痛、関節痛や、吐き気、鼻血が出る、呼吸困難等の形で表れる。上記シックハウス症候群は、微量のホルムアルデヒドや、ベンゼン、トルエン、キシレン等のＶＯＣ（Ｖｏｌａｔｉｌｅ  Ｏｒｇａｎｉｃ  Ｃｏｍｐｏｕｎｄｓ、揮発性有機化合物）によって惹き起こされる。
【０００３】
上記した問題に対処するため、有害有機ガスを吸着、除去する粒状体の封入物（例えば、特許文献１参照。）が提案されている。また、脱臭機能付き床下収納庫（例えば、特許文献２参照。）や、強制換気を可能とした床下収納庫（例えば、特許文献３参照。）も公知である。
【０００４】
【特許文献１】
特開平１０−２８６４５９号公報（第１−４頁、第１図、第２図）
【特許文献２】
実開昭６１−１４１４５３号公報（第１頁、第１図、第２図）
【特許文献３】
実開平５−７８７９８号公報（第１−２頁、第１図、第２図）
【０００５】
【発明が解決しようとする課題】
ところで、キッチン設備、とくに床下収納庫においては、床下の湿気、寒気の影響を受けて内部での結露を防ぐため、蓋と箱体とは密閉され、また箱体を形成する側板部と底板部とは厳重にシールされている。したがって、上記、蓋や側板部、底板部等の構成材料から放散されるホルムアルデヒド、ＶＯＣは箱体内に滞留し、蓋を開けたときに居室内に放散され、上記シックハウス症候群の原因となる可能性がある。
【０００６】
しかしながら、このような問題を解決するため、上記先行技術を適用しても、十分に満足する結果が得られるとはいえず、新たな技術が求められている。本発明は、このような状況の下で考え出されたものであって、床下収納庫内に滞留する空気中のホルムアルデヒドや、ＶＯＣの量を大幅に減少させ、蓋を開けたときに、これらの汚染物質が居室内の空気中に拡散することのない床下収納庫を提供することをその課題とする。
【０００７】
【課題を解決するための手段】
本発明は、上記課題を解決するために考え出されたものであって、つぎのような技術的手段を講じている。すなわち、本発明によれば、蓋と、箱体とからなるとともに、該箱体の側板部に排気弁を備え、床下に設置される収納庫において、上記排気弁は、蓋を閉めたときに上昇する内部圧力で排気を行い、閉蓋後は外気を遮断することを特徴とする床下収納庫が提供される。このようにすることによって、床下収納庫を構成する蓋や側板部、底板部の材料や、それらの貼り合わせに使用された接着剤等から放散される、ホルムアルデヒドやＶＯＣを含む汚染空気を床下空間に排気し、蓋を開けたときに、居室内に拡散することのない床下収納庫を提供することができる。
【０００８】
上記排気弁の弁本体をロッドを挿通する有底ダイアフラム構造とするとともに、このロッドには上記弁本体を付勢するための付勢手段が嵌装される。上記有底ダイアフラム構造を、例えばシリコンゴム等軟質弾性材料から構成し、側板に穿たれた取り付け孔に嵌設すれば、この取り付け孔に連通する排気孔に、上記弁本体を付勢手段によってぴったりと弾接させることができる。その結果、床下収納庫の蓋を閉めたときに上昇する内部圧力で、付勢手段の弾性力に打ち勝って排気を行い、閉蓋後は外気を遮断して、湿気等の流入を防ぐことができる。
【０００９】
上記排気弁が対向する側板部に１個以上設けられることが好ましい。このようにすることにより、床下収納庫の蓋を閉めたときに上昇する内部圧力で排気を２方向に効率よく行うことができる。
【００１０】
上記側板部内面にホルムアルデヒド捕捉剤が塗布されることが好ましい。例えば、ホルムアルデヒド捕捉剤として、ヒドラジン系ホルムアルデヒドキャッチャー剤を塗布することにより、上記した排気を行うとともに、排気されずに残留したホルムアルデヒドが捕捉されるため、さらに好ましい結果が得られる。
【００１１】
上記排気弁を覆うように上記側板部外側に防虫ネットを設けることが好ましい。このようにすることにより、床下空間内に棲息する虫等が、排気弁の取り付け孔から排気孔を経て床下収納庫内に侵入することを防げる。
【００１２】
【発明の実施の形態】
以下、本発明の好ましい実施の形態について、実施例により、さらに詳細に説明する。図１は、本発明にかかる床下収納庫１を床Ｙの開口部に嵌設した状態を示す側断面図である。図１において、蓋１２は、床Ｙと面一となるように、開閉自在に箱体１１に取り付けられ、箱体１１の相対向する左側板１１１、右側板１１２の下部には、排気弁２を取り付けるための取り付け孔３がそれぞれ、穿たれている。
【００１３】
図２は、上記排気弁２を拡大して示す側断面図である。図２において、弁本体２１は、理解が容易となるように、部分的に破断して示している。図２からよくわかるように、弁本体２１は、有底ダイアフラム構造であり、その中心部にはロッド２２が挿通し、取り付け孔３に納められている。取り付け孔３の内側には、それより小径の排気孔３１が連通しており、床下収納庫１からの排気は、排気孔３１から取り付け孔３を経て床下空間に排出される。弁本体２１は、ロッド２２に摺接しているため、後述する付勢手段の動きと連動して、ロッド２２に沿って左右に摺動する。
【００１４】
ロッド２２は、右側板１１２の内側で、その端部を正面視略十字型のロッド固定部２３にナット締めされ、固定される。同様に、ロッド２２は、右側板１１２の外側で、その端部を正面視略十字型のロッド固定部２４にナット締めされ、固定される。一方、ロッド２２には、上記弁本体２１を付勢するための付勢手段としてスプリング２５が嵌装され、通常、スプリング２５は、弁本体２１が右側板１１２に内設された上記排気孔３１に弾接し、閉止するように付勢する。かくして、床下空間の空気は、排気弁２によって遮断され、湿気等が床下収納庫１内に侵入することを防ぐ。
【００１５】
図３は、蓋１２を閉めたときに上昇する上記収納庫１の内部圧力がスプリング２５の弾性力に打ち勝って、弁本体２１を外側に押し、排気孔３１と、弁本体２１との間に形成された隙間から、箱体内の空気が排出される状態を示す側断面図である。蓋を閉め、排気が完了した後は、図２に示す状態となる。なお、図２、図３において符号４は、床下空間内に棲息する虫等が、排気弁２の取り付け孔３から排気孔３１を経て床下収納庫１内に侵入するのを防ぐために設けられた防虫ネットである。図４は上記防虫ネット４を備えた排気弁２の外側正面図であり、防虫ネット４の一部を透過してみたものである。
【００１６】
【実施例】
パーティクルボード（厚さ１５ｍｍ）の芯材の表側、裏側に合板（厚さ２．５ｍｍ）を貼り付けたフラッシュ構造の板材を、蓋、側板および底板として用いて床下収納庫１を作製し、対向する短手側の左側板１１１と右側板１１２の下部に各２個、計４個の排気弁２を取り付けた。この排気弁２の排気弁本体２１としては、シリコンゴム製、有底ダイアフラム（直径３０ｍｍ）を用いた。また、４面の側板の内面に、ヒドラジン系ホルムアルデヒドキャッチャー剤を１平方尺当たり４グラム塗布した。図５は、実施例１に用いた床下収納庫１を示す斜視図である。
【００１７】
実験室を２区画に仕切り、居室としての各区画を和室四畳半程度の広さの実験用キッチンとし、予め、ホルムアルデヒドやＶＯＣ等を含まない清浄な空気で置換した。ついで、区画１の床Ｙには、実施例１として、上記図５に示す本発明にかかる床下収納庫１を、その蓋１２が床面と面一となるように嵌設した。区画２の床Ｙには、比較例１として、排気弁２を備えず、また、ヒドラジン系ホルムアルデヒドキャッチャー剤を側板に塗布していない従来公知の床下収納庫を、上記と同様に、その蓋１２が床面と面一となるように嵌設した。
【００１８】
ついで、両床下収納庫ともに、蓋１２を開け、３０分間開放して内部に滞留していた空気を居室内の床上空間に放散させ、蓋１２を閉めた。その後、５時間床下収納庫を閉蓋状態に保った後、空気捕集ポンプで、居室内および床下収納庫内の空気を捕集し、ホルムアルデヒドとＶＯＣの量を測定した。すなわち、ホルムアルデヒドの測定にはＤＮＰＨ捕集管を用い、捕集管を通過した１０リットル  の空気中に含まれるホルムアルデヒドの吸着量を測定した。同様に、ＶＯＣの捕集にはＡｉｒ  Ｔｏｘｉｃ捕集管を用い、捕集管を通過した５リットルの空気中に含まれるトルエンおよびキシレンの吸着量を測定した。上記のようにして測定されたホルムアルデヒドおよびＶＯＣの量（μｇ／１ｍ３空気）を表１に示す。
【００１９】
【表１】
2004244854.tif 000003
【００２０】
表１における実施例１の結果から、床下収納庫内および居室内とも、空気中に含まれるホルムアルデヒドとＶＯＣ（トルエン、キシレン）の量が著しく減少していることが明らかであり、蓋を閉めたときに上昇する内部圧力でこれらの汚染物質が床下空間に排気されるとともに、閉蓋後はヒドラジン系ホルムアルデヒドキャッチャー剤がホルムアルデヒドを吸着、除去していることがよくわかる。
【００２１】
【発明の効果】
以上述べたように、請求項１に記載の発明は、蓋１２と、箱体１１とからなるとともに、該箱体１１の側板部に排気弁２を備え、床下に設置される収納庫において、上記排気弁２は、蓋１２を閉めたときに上昇する内部圧力で排気を行い、閉蓋後は外気を遮断することを特徴とする床下収納庫１である。このようにすることによって、床下収納庫１を構成する蓋や側板部、底板部の材料や、それらの貼り合わせに使用された接着剤等から放散される、ホルムアルデヒドや、ＶＯＣを含む汚染空気を床下空間に排気し、蓋を開けたときに、居室内に拡散することのない床下収納庫を提供することができる。
【００２２】
請求項２に記載の発明は、上記排気弁２の弁本体２１をロッド２２を挿通する有底ダイアフラム構造とするとともに、このロッド２２には上記弁本体２１を付勢するための付勢手段が嵌装される。上記有底ダイアフラム構造を、例えばシリコンゴム等軟質弾性材料から構成し、側板に穿たれた取り付け孔３に嵌設すれば、この取り付け孔３に連通する排気孔３１に、上記弁本体２１を付勢手段によってぴったりと弾接させることができる。このようにすることにより、請求項１に記載の発明の効果に加えて、床下収納庫１の蓋１２を閉めたときに上昇する内部圧力で、付勢手段の弾性力に打ち勝って排気を行い、閉蓋後は外気を遮断して、湿気等の流入を防ぐことができる。
【００２３】
請求項３に記載の発明は、上記排気弁２が対向する側板部に各１個以上設けられる。このようにすることにより、請求項１に記載の発明の効果に加えて、床下収納庫１の蓋１２を閉めたときに上昇する内部圧力による排気を２方向に効率よく行うことができる。
【００２４】
請求項４に記載の発明は、上記側板部内面にホルムアルデヒド捕捉剤が塗布される。例えば、ホルムアルデヒド捕捉剤として、ヒドラジン系ホルムアルデヒドキャッチャー剤を塗布することにより、上記した排気を行うとともに、排気されずに残留したホルムアルデヒドが捕捉されるため、請求項１に記載の発明の効果に加えて、さらに好ましい結果が得られる。
【００２５】
請求項５に記載の発明は、上記排気弁２を覆うように上記側板部外側に防虫ネット４が設けられる。このようにすることにより、請求項１に記載の発明の効果に加えて、床下空間内に棲息する虫等が、排気弁２の取り付け孔３から排気孔３１を経て床下収納庫内に侵入することを防ぐ。
【図面の簡単な説明】
【図１】本発明にかかる床下収納庫を床に嵌設した状態を示す側断面図である。
【図２】排気弁を側板に取り付けた状態を示す側断面図である。
【図３】蓋を閉めたときに上昇する内部圧力によって排気される状態を示す側断面図である。
【図４】防虫ネットを備えた排気弁の外側正面図である。
【図５】実施例１に用いた床下収納庫の斜視図である。
【符号の説明】
１          本発明にかかる床下収納庫
１１        箱体
１１１      左側板
１１２      右側板
１２        蓋
２          排気弁
２１        弁本体
２２        ロッド
２３        内側ロッド固定部
２４        外側ロッド固定部
２５        スプリング
３          排気弁取り付け孔
３１        排気孔
４          防虫ネット
Ｙ          床
【図１】
2004244854.tif 000004
【図２】
2004244854.tif 000005
【図３】
2004244854.tif 000006
【図４】
2004244854.tif 000007
【図５】
2004244854.tif 000008